(57)【要約】【課題】汎用性を高めることが可能なスイッチ装置を提供する。【解決手段】所定のスイッチ機構を内装してなる固定部４１と、この固定部４１に支持されると共に押下操作によって前記スイッチ機構を作動させる可動部４２とを有するスイッチ４３と、このスイッチ４３の周囲を覆う柔軟性材料からなる防塵カバー４４と、を備えており、防塵カバー４４が可動部４２の先端側を露出させる貫通部４４３を有する。これによりスイッチ４３の可動部４２を露出させることで、可動部４２の高さ寸法が異なるスイッチ４３にも共通の防塵カバー４４を使用できる。【選択図】図２
2008270010.tif 000002
【特許請求の範囲】
【請求項１】
所定のスイッチ機構を内装してなる固定部と、この固定部に支持されると共に押下操作によって前記スイッチ機構を作動させる可動部とを有するスイッチと、
このスイッチの周囲を覆う柔軟性材料からなる防塵カバーと、
を備えたスイッチ装置において、
前記防塵カバーが前記可動部の先端側を露出させる貫通部を有することを特徴とするスイッチ装置。
【請求項２】
前記貫通部が前記可動部の根本付近外周に隙間なく密着することを特徴とする請求項１記載のスイッチ装置。
【請求項３】
前記貫通部の周囲に前記可動部の押下操作に追従して伸縮する屈曲部を有することを特徴とする請求項２記載のスイッチ装置。
【請求項４】
前記防塵カバーが前記固定部に嵌合する抜け止め嵌合部を有することを特徴とする請求項１記載のスイッチ装置。
【請求項５】
前記スイッチが複数あり、前記防塵カバーがそれぞれ相互に連なるように連続形成されてなることを特徴とする請求項１記載のスイッチ装置。
【発明の詳細な説明】
【技術分野】
【０００１】
本発明は、例えば建設用機械などの特殊車輌や水上バイク，スノーモービル，船舶、あるいはオートバイなどの表示装置などに装備され、利用者の操作によってスイッチ信号を出力するスイッチ装置に関するものである。
【背景技術】
【０００２】
この種のスイッチ装置として、例えば特許文献１に記載されたものが知られている。このスイッチ装置は、所定のスイッチ機構を内装してなる固定部と、この固定部に支持されると共に押下操作によって前記スイッチ機構を作動させる可動部とを有するスイッチと、このスイッチの周囲を覆う柔軟性材料からなる防塵カバーとを備えており、防塵カバーにより、可動部の周囲に付着したゴミがその押下によって固定部内部に侵入し、スイッチ機構の接触不良を招くことを防止している。
いる。
【特許文献１】実開昭６２−１７６９２１号公報（第２図）
【発明の開示】
【発明が解決しようとする課題】
【０００３】
ところで、スイッチの中には、固定部の寸法は共通で可動部の高さ寸法が異なるものがあるが、前記特許文献１記載の防塵カバーは、スイッチの固定部に加えて可動部の全域を覆う構造のため、可動部の高さ寸法に応じて専用の防塵カバーを必要とするため、汎用性に乏しいという問題があった。
【０００４】
本発明は前述した問題点に着目し、汎用性を高めることが可能なスイッチ装置を提供することを主な目的とする。
【課題を解決するための手段】
【０００５】
本発明は前述した課題を解決するため、所定のスイッチ機構を内装してなる固定部と、この固定部に支持されると共に押下操作によって前記スイッチ機構を作動させる可動部とを有するスイッチと、このスイッチの周囲を覆う柔軟性材料からなる防塵カバーと、を備えたスイッチ装置において、前記防塵カバーが前記可動部の先端側を露出させる貫通部を有することを特徴とする。
【０００６】
また本発明は、前記貫通部が前記可動部の根本付近外周に隙間なく密着することを特徴とする。
【０００７】
また本発明は、前記貫通部の周囲に前記可動部の押下操作に追従して伸縮する屈曲部を有することを特徴とする。
【０００８】
また本発明は、前記防塵カバーが前記固定部に嵌合する抜け止め嵌合部を有することを特徴とする。
【０００９】
また本発明は、前記スイッチが複数あり、前記防塵カバーがそれぞれ相互に連なるように連続形成されてなることを特徴とする。
【発明の効果】
【００１０】
本発明によれば、初期の目的を達成でき、汎用性を高めることが可能なスイッチ装置を提供することができる。
【発明を実施するための最良の形態】
【００１１】
図１及び図２は本発明の一実施形態として、本発明によるスイッチ装置を車両用の表示装置に組み込んだ例を示し、図１は表示装置の要部断面図、図２はスイッチ装置の断面図である。
【００１２】
図１において、本実施形態による表示装置は、裏カバー１と表カバー２との間に、例えば液晶表示パネルからなる表示器３とスイッチ装置４とを搭載した回路基板５を収納固定してなり、表カバー２には、スイッチ装置４を利用者が押下操作可能な操作部６が取り付けられている。
【００１３】
このように構成された表示装置は、表カバー２を通して表示器に表示される表示情報が利用者に視認可能であり、また操作部６を通じて利用者がスイッチ装置４を押下作動させることで、表示器３に表示される情報の種別を切り替えたり、表示情報の値をリセットすることができるようになっている。
【００１４】
スイッチ装置４は、ハウジング内に所定のスイッチ機構（図示省略）を内装してなる固定部４１と、この固定部４１に支持されると共に操作部６を通じた利用者の押下操作によって前記スイッチ機構を作動させ、押下操作の解除で元の位置に復帰する可動部４２とを有するスイッチ（タクトスイッチ）４３と、このスイッチ４３の周囲を覆う柔軟性材料からなる防塵カバー４４とを有している。
【００１５】
防塵カバー４４は、シリコンゴム等の柔軟性材料からなり、可動部４２の押下軸線を基準としたとき、固定部４１のラジアル方向周囲を覆う本体部４４１と、この本体部４４１から固定部４１と可動部４２との接合部を経て可動部４２の根本付近外周を覆う屈曲部４４２とを有し、屈曲部４４２には、可動部４２の先端側を露出すると共に可動部４２の根本付近外周に隙間なく密着する貫通部４４３が形成されている。
【００１６】
このように構成された防塵カバー４４は、本体部４４１の回路基板５側の開口を先頭として、可動部４２の先端側からスイッチ４３に被せられることにより、スイッチ４３を覆うものである。
【００１７】
ここで屈曲部４４２は、蛇腹状に形成され、可動部４２の押下及び解除動作に追従して伸縮するように構成され、また本体部４４１の回路基板５側には、固定部４１の底部に嵌合する抜け止め嵌合部４４４が形成されている。
【００１８】
以上のように本実施形態では、所定のスイッチ機構を内装してなる固定部４１と、この固定部４１に支持されると共に押下操作によって前記スイッチ機構を作動させる可動部４２とを有するスイッチ４３と、このスイッチ４３の周囲を覆う柔軟性材料からなる防塵カバー４４と、を備えており、防塵カバー４４が可動部４２の先端側を露出させる貫通部４４３を有することにより、スイッチ４３の可動部４２を露出させることで、可動部４２の高さ寸法が異なるスイッチ４３にも共通の防塵カバー４４を使用でき、汎用性を高めることができる。
【００１９】
また本実施形態では、貫通部４４３が可動部４２の根本付近外周に隙間なく密着することにより、ゴミの付着や内部への侵入を防止することができる。
【００２０】
また本実施形態では、貫通部４４３の周囲に可動部４２の押下操作に追従して伸縮する屈曲部４４２を設けたことにより、可動部４２に屈曲部４４２を追従させることができるので、貫通部４４３の密着状態が確保しやすくなる。
【００２１】
また本実施形態では、防塵カバー４４が固定部４１に嵌合する抜け止め嵌合部４４４を有することにより、防塵カバー４４の脱落を防止できる。
【００２２】
加えて本実施形態では、防塵カバー４４の内部容積を固定部４１の外周体積よりも小さく、貫通孔４４３の開口径を可動部４２の外径よりも小さく設定することにより、防塵カバー４４がスイッチ４３に密着するようにし、脱落しにくくしている。
【００２３】
なお本実施形態では、スイッチ４３が単数であったが、スイッチ４３が複数ある場合は、他の実施形態として図示しないが、防塵カバー４４のそれぞれを相互に連なるように連続形成してもよい。
【図面の簡単な説明】
【００２４】
【図１】本発明の一実施形態による表示装置の要部断面図。
【図２】同実施形態におけるスイッチ装置の断面図。
【符号の説明】
【００２５】
１  裏カバー
２  表カバー
３  表示器
４  スイッチ装置
５  回路基板
６  操作部
４１  固定部
４２  可動部
４３  スイッチ
４４  防塵カバー
４４１  本体部
４４２  屈曲部
４４３  貫通部
４４４  抜け止め嵌合部
【図１】
2008270010.tif 000003
【図２】
2008270010.tif 000004